(57)【要約】【課題】雌雄同形のコンタクト端子を有するコネクタを、少ない部品点数で構成する。【解決手段】相手側コネクタが有するコンタクト端子である相手側コンタクト端子７０と同じ形状を有するコンタクト端子２０を備えたコネクタを対象とする。コンタクト端子２０は、互いに一体に形成されており、相手側コネクタの相手側第１コンタクト部７３と同じ形状を有する第１コンタクト部２３と、相手側コネクタの相手側第２コンタクト部７６と同じ形状を有する第２コンタクト部２６と、を有している。前記第１コンタクト部２３及び前記第２コンタクト部２６は、相手側コネクタへの挿抜方向を前後方向とした場合における前後位置が揃うように配置されている。【選択図】図５
2017073214.tif 000002
【特許請求の範囲】
【請求項１】
相手側コネクタが有するコンタクト端子である相手側コンタクト端子と同じ形状を有するコンタクト端子を備えたコネクタであって、
前記相手側コンタクト端子は、互いに一体に形成されている、相手側第１コンタクト部、及び前記コネクタが前記相手側コネクタに嵌合する前後で弾性変形する相手側第２コンタクト部、を有し、
前記コンタクト端子は、互いに一体に形成されており、前記相手側第１コンタクト部と同じ形状を有する第１コンタクト部と、前記相手側第２コンタクト部と同じ形状を有する第２コンタクト部と、を有し、
前記第１コンタクト部は、前記コネクタが前記相手側コネクタと嵌合した状態において前記相手側第２コンタクト部と接触し、
前記第２コンタクト部は、前記コネクタが前記相手側コネクタと嵌合した状態において前記相手側第１コンタクト部と接触し、
前記第１コンタクト部及び前記第２コンタクト部は、前記相手側コネクタへの挿抜方向を前後方向とした場合における前後位置が揃うように配置されていることを特徴とする、コネクタ。
【請求項２】
請求項１に記載のコネクタであって、
前記第１コンタクト部は、前記コネクタが前記相手側コネクタと嵌合した状態において、前記相手側第２コンタクト部が有する相手側板バネ部と接触し、
前記第２コンタクト部は、前記コネクタが前記相手側コネクタと嵌合した状態において、前記相手側第１コンタクト部と接触する板バネ部を有していることを特徴とする、コネクタ。
【請求項３】
請求項２に記載のコネクタであって、
前記第２コンタクト部は、一対の前記板バネ部を有し、前記コネクタが前記相手側コネクタと嵌合した状態において、一対の前記板バネ部によって前記相手側第１コンタクト部を挟んで保持することを特徴とする、コネクタ。
【請求項４】
請求項３に記載のコネクタであって、
前記相手側コンタクト端子を内部に収容している又は収容可能な相手側ハウジングと同じ形状を有し、前記コンタクト端子を内部に収容している又は収容可能なハウジングを更に備え、
前記第１コンタクト部における、前記コネクタが前記相手側コネクタに挿入される方向である挿入方向側の部分を、該挿入方向側から覆う第１カバー部と、
それぞれが、各前記板バネ部における前記挿入方向側の部分を該挿入方向側から覆う一対の第２カバー部と、
を有していることを特徴とする、コネクタ。
【請求項５】
請求項４に記載のコネクタであって、
前記一対の第２カバー部の間には、前記コネクタが前記相手側コネクタに嵌合する際に前記相手側第１コンタクト部が挿入される隙間部が形成され、
一対の前記板バネ部における前記相手側第１コンタクト部と接触する部分は、前記挿入方向側から視て前記隙間部から視認可能であるとともに、前記挿抜方向に交差する方向に弾性変形可能であることを特徴とする、コネクタ。
【発明の詳細な説明】
【技術分野】
【０００１】
本発明は、雌雄同形のコネクタに関する。
【背景技術】
【０００２】
従来より、コンタクト端子の形状が相手側のコネクタのコンタクト端子と同じ形状を有するコネクタ（いわゆる雌雄同形のコネクタ）が知られている。例えば、特許文献１には、雌雄同形の接点２０と、該接点２０を押圧して偏倚させるための板バネ４２とを備えたコネクタ１０，１２が開示されている。
【先行技術文献】
【非特許文献】
【０００３】
【特許文献１】特開昭４９−１０４１７３号公報
【発明の概要】
【発明が解決しようとする課題】
【０００４】
ところで、特許文献１に開示されるコネクタでは、接点を押圧して偏倚させるための板バネが必要になるため、部品点数が増大してしまう。
【０００５】
本発明は、上記課題を解決するためのものであり、その目的は、雌雄同形のコンタクト端子を有するコネクタを、少ない部品点数で構成することである。
【課題を解決するための手段】
【０００６】
（１）上記課題を解決するために、この発明のある局面に係るコネクタは、相手側コネクタが有するコンタクト端子である相手側コンタクト端子と同じ形状を有するコンタクト端子を備えたコネクタであって、前記相手側コンタクト端子は、互いに一体に形成されている、相手側第１コンタクト部、及び前記コネクタが前記相手側コネクタに嵌合する前後で弾性変形する相手側第２コンタクト部、を有し、前記コンタクト端子は、互いに一体に形成されており、前記相手側第１コンタクト部と同じ形状を有する第１コンタクト部と、前記相手側第２コンタクト部と同じ形状を有する第２コンタクト部と、を有し、前記第１コンタクト部は、前記コネクタが前記相手側コネクタと嵌合した状態において前記相手側第２コンタクト部と接触し、前記第２コンタクト部は、前記コネクタが前記相手側コネクタと嵌合した状態において前記相手側第１コンタクト部と接触し、前記第１コンタクト部及び前記第２コンタクト部は、前記相手側コネクタへの挿抜方向を前後方向とした場合における前後位置が揃うように配置されている。
【０００７】
この構成では、コネクタが相手側コネクタと嵌合すると、該コネクタの第１コンタクト部が相手側第２コンタクト部と接触するとともに、該コネクタの第２コンタクト部が相手側第１コンタクト部と接触する。これにより、双方のコネクタ（コネクタ及び相手側コネクタ）を電気的に接続することができる。
【０００８】
また、この構成では、互いに嵌合する２つのコネクタのコンタクト端子が同じ形状となるように形成されている。これにより、該２つのコネクタのそれぞれに用いられるコンタクト端子を共通化できるため、コスト面において有利なコネクタを提供できる。
【０００９】
更に、この構成では、第１コンタクト部と第２コンタクト部とが一体に形成されている。また、この構成では、第２コンタクト部は、コネクタが相手側コネクタと嵌合する前後で弾性変形する。すなわち、この構成によると、従来のように、コンタクト部を押圧偏倚させるための他の部材（板バネ）を設けることなく接触圧を確保することができる。
【００１０】
従って、この構成によると、雌雄同形のコンタクト端子を有するコネクタを、少ない部品点数で構成することができる。
【００１１】
また、この構成では、第１コンタクト部及び第２コンタクト部は、互いに対する前後位置が揃うように配置されている。こうすると、例えば第１コンタクト部及び第２コンタクト部の前後位置がずれている場合と比べて、コネクタの長さ（前後方向の寸法）を短縮することができる。すなわち、この構成によれば、コネクタを小型化できる。
【００１２】
（２）好ましくは、前記第１コンタクト部は、前記コネクタが前記相手側コネクタと嵌合した状態において、前記相手側第２コンタクト部が有する相手側板バネ部と接触し、前記第２コンタクト部は、前記コネクタが前記相手側コネクタと嵌合した状態において、前記相手側第１コンタクト部と接触する板バネ部を有している。
【００１３】
この構成では、相手側第１コンタクト部と接触する第２コンタクト部の弾性を、板バネ状に形成された板バネ部によって容易に確保することができる。
【００１４】
（３）更に好ましくは、前記第２コンタクト部は、一対の前記板バネ部を有し、前記コネクタが前記相手側コネクタと嵌合した状態において、一対の前記板バネ部によって前記相手側第１コンタクト部を挟んで保持する。
【００１５】
この構成では、コネクタが相手側コネクタと嵌合した状態において、第２コンタクト部が有する一対の板バネ部によって相手側第１コンタクト部が挟んで保持される。これにより、コンタクト端子と相手側コンタクト端子との接触圧を高めることができる。
【００１６】
（４）更に好ましくは、前記相手側コンタクト端子を内部に収容している又は収容可能な相手側ハウジングと同じ形状を有し、前記コンタクト端子を内部に収容している又は収容可能なハウジングを更に備え、前記第１コンタクト部における、前記コネクタが前記相手側コネクタに挿入される方向である挿入方向側の部分を、該挿入方向側から覆う第１カバー部と、それぞれが、各前記板バネ部における前記挿入方向側の部分を該挿入方向側から覆う一対の第２カバー部と、を有している。
【００１７】
この構成では、コンタクト端子における挿入方向側の部分が、第１カバー部及び第２カバー部によって覆われている。こうすると、例えば作業者がコネクタを相手側コネクタに嵌合させる際などに当該作業者の指がコンタクト端子に触れて感電してしまうことを防止することができる。
【００１８】
（５）更に好ましくは、前記一対の第２カバー部の間には、前記コネクタが前記相手側コネクタに嵌合する際に前記相手側第１コンタクト部が挿入される隙間部が形成され、一対の前記板バネ部における前記相手側第１コンタクト部と接触する部分は、前記挿入方向側から視て前記隙間部から視認可能であるとともに、前記挿抜方向に交差する方向に弾性変形可能である。
【００１９】
この構成によれば、コネクタを相手側コネクタに嵌合させる際、相手側第１コンタクト部は、一対の第２カバー部の間に形成された隙間部を通じてコネクタ内へ侵入する。そして、当該相手側第１コンタクト部が、一対の板バネ部における相手側第１コンタクト部と接触する部分を押し広げた状態で、コネクタと相手側コネクタとの嵌合が完了する。すなわち、この構成によれば、第２コンタクト部及び相手側第１コンタクト部（並びに、第１コンタクト部及び相手側第２コンタクト部）を確実に接触させることができるとともに、作業者の感電を適切に防止することができるコネクタを提供できる。
【発明の効果】
【００２０】
本発明によれば、雌雄同形のコンタクト端子を有するコネクタを、少ない部品点数で構成できる。
【図面の簡単な説明】
【００２１】
【図１】本発明の実施形態に係るコネクタが相手側コネクタと嵌合している状態を示す斜視図である。
【図２】図１に示すコネクタ及び相手側コネクタをII方向から視た矢視図である。
【図３】図２のIII−III線における断面図である。
【図４】図２のIV−IV線における断面図である。
【図５】コネクタが相手側コネクタと嵌合している状態における、コンタクト端子及び相手側コンタクト端子を示す斜視図である。
【図６】本発明の実施形態に係るコネクタを示す斜視図である。
【図７】図６に示すコネクタを前側から視た図である。
【図８】図６に示すコネクタを側方から視た図である。
【図９】図８のIX−IX線における断面図である。
【図１０】図８のX−X線における断面図である。
【図１１】図６に示すハウジングの斜視図である。
【図１２】図１１に示すハウジングを前側から視た図である。
【図１３】図５に示すコンタクト端子の斜視図である。
【図１４】変形例に係るコネクタのコンタクト端子の形状を模式的に示す斜視図である。
【図１５】図１４に示すコンタクト端子が該コンタクト端子と同じ形状を有する相手側コンタクト端子と嵌合している状態を示す斜視図である。
【図１６】変形例に係るコネクタのコンタクト端子の形状を模式的に示す斜視図である。
【図１７】図１６に示すコンタクト端子が該コンタクト端子と同じ形状を有する相手側コンタクト端子と嵌合している状態を示す側面図である。
【発明を実施するための形態】
【００２２】
以下、本発明を実施するための形態について図面を参照しつつ説明する。本発明は、雌雄同形のコネクタに広く適用できる。
【００２３】
図１は、本発明の実施形態に係るコネクタ１が相手側コネクタ５０と嵌合している状態を示す斜視図である。また、図２は、図１に示すコネクタ１及び相手側コネクタ５０をII方向から視た矢視図である。また、図３は、図２のIII−III線における断面図である。また、図４は、図２のIV−IV線における断面図である。また、図５は、コネクタ１が相手側コネクタ５０と嵌合している状態における、コンタクト端子２０及び相手側コンタクト端子７０を示す斜視図である。また、図６は、本発明の実施形態に係るコネクタ１を示す斜視図である。また、図７は、図６に示すコネクタ１を前側から視た図である。また、図８は、図６に示すコネクタ１を側方から視た図である。また、図９は、図８のIX−IX I線における断面図である。また、図１０は、図８のX−X線における断面図である。
【００２４】
なお、各図において、説明の便宜上、右と記載された矢印が指示する方向を右側と称し、左と記載された矢印が指示する方向を左側と称し、上と記載された矢印が指示する方向を上側又は上方と称し、下と記載された矢印が指示する方向を下側又は下方と称し、前と記載された矢印が指示する方向を前側又は前方と称し、後と記載された矢印が指示する方向を後側又は後方と称する。前方とは、コネクタ１が相手側コネクタ５０と嵌合する際に相手側コネクタ５０に挿入される方向（挿入方向）であり、後方とは、コネクタ１が相手側コネクタ５０から抜去される際の方向（抜去方向）である。
【００２５】
本実施形態に係るコネクタ１は、極性を有さないいわゆる無性コネクタである。コネクタ１は、該コネクタ１と同じ形状を有する相手側コネクタ５０と嵌合することにより、コネクタ１に接続されたケーブル４５側の機器と、相手側コネクタ５０に接続されたケーブル９５側の機器とを電気的に接続することができる。なお、以下では、説明の便宜上、コネクタ１と嵌合するコネクタを相手側コネクタ５０として説明するが、上述のように、コネクタ１と相手側コネクタ５０とは同じ形状である。すなわち、相手側コネクタ５０も、コネクタ１と同様、本発明の実施形態に係るコネクタである。
【００２６】
［全体構成］
コネクタ１は、ハウジング２と、該ハウジング２に挿入されて固定されたコンタクト端子２０とを有している。
【００２７】
［ハウジングの構成］
図１１は、図６に示すハウジング２の斜視図である。また、図１２は、図１１に示すハウジング２を前側から視た図である。
【００２８】
ハウジング２は、図６から図１２を参照して、筒部３と、ランス部９（図９参照）と、オス端子カバー部１０と、メス端子カバー部１５とを有し、これらが一体に形成されている。ハウジング２は、絶縁性を有する樹脂材料によって構成されている。
【００２９】
筒部３は、前後方向（挿抜方向）に細長い略角筒状に形成された部分である。筒部３は、角筒状基部４、上側延出部５、及び下側延出部６を有し、これらが一体に形成されている。
【００３０】
角筒状基部４は、筒部３における後側（抜去方向側）の部分として設けられている。角筒状基部４は、前後方向に延びる角筒状に形成されている。
【００３１】
上側延出部５は、筒部３における前側且つ上側の部分として設けられている。上側延出部５は、角筒状基部４の前端部４ａにおける上側の部分且つ内側の部分から前方へ延びるように形成されている。このように上側延出部５が形成されることにより、該上側延出部５と角筒状基部４との間の部分には、外側段差部７が形成される。
【００３２】
下側延出部６は、筒部３における前側且つ下側の部分として設けられている。下側延出部６は、角筒状基部４の前端部４ａにおける下側の部分且つ外側の部分から前方へ延びるように形成されている。このように下側延出部６が形成されることにより、該下側延出部６と角筒状基部４との間の部分には、内側段差部８（図１０参照）が形成される。
【００３３】
ランス部９は、図９を参照して、ハウジング２の角筒状基部４の左右両側の側壁部における内側の部分に形成された部分であって、ハウジング２内に挿入されたコンタクト端子２０がハウジング２から抜けてしまうのを防止するためのものである。ランス部９は、前記側壁部における内側の部分から前方且つ内側へ延びるように形成され、その先端部に、コンタクト端子２０の後側の部分が係合している。
【００３４】
オス端子カバー部１０は、後述するオス端子部２３を覆うように形成されている。オス端子カバー部１０の詳しい形状については、後述する。
【００３５】
メス端子カバー部１５は、後述するメス端子部２６を覆うように形成されている。メス端子カバー部１５の詳しい形状については、後述する。
【００３６】
［コンタクト端子の構成］
図１３は、図５に示すコンタクト端子２０の斜視図である。コンタクト端子２０は、板状の金属部材がプレス加工によって折り曲げられて形成された部品であって、前後方向に延びるように形成されている。コンタクト端子２０は、角筒部２１と、ケーブル圧着部２２と、オス端子部２３（第１コンタクト部）と、メス端子部２６（第２コンタクト部）とを有し、これらが一体に形成されている。
【００３７】
角筒部２１は、コンタクト端子２０における前後方向中央部分に設けられた部分である。角筒部２１は、前側及び後側に開口部を有する角筒状であって、左右方向よりも上下方向の方が長くなるように形成されている。
【００３８】
ケーブル圧着部２２は、コンタクト端子２０における後側に設けられた部分である。ケーブル圧着部２２は、角筒部２１における下側の部分から後方へ延びるように形成されている。ケーブル圧着部２２は、後方から視て上方が開口するＵ字状となるように形成されている。図９を参照して、ケーブル圧着部２２には、ケーブル４５における被覆４６が剥かれた部分（導電線部４７が露出した部分）が圧着される。具体的には、外部に露出した状態の前記導電線部４７がケーブル圧着部２２の内側に配置された状態でケーブル圧着部２２が外側からかしめられることにより、ケーブル圧着部２２にケーブル４５が固定され、コンタクト端子２０とケーブル４５とが電気的に接続される。
【００３９】
オス端子部２３は、コンタクト端子２０における前側且つ上側に設けられた部分である。オス端子部２３は、角筒部２１の側壁部２１ａ，２１ａにおける上側の部分から前方に延びる延出部２４，２４が左右方向に重ねられることにより、全体として左右方向に所定の厚みを有するタブ状に形成されている。オス端子部２３の左右両側における前後方向中央部分には、該オス端子部２３の外側から視た形状が矩形状である凹部２５が形成されている。
【００４０】
メス端子部２６は、コンタクト端子２０における前側且つ下側に設けられた部分であって、その前後位置がオス端子部２３と揃うように配置されている。すなわち、オス端子部２３及びメス端子部２６は、互いに対する前後位置がずれていない。
【００４１】
メス端子部２６は、角筒部２１の側壁部２１ａ，２１ａにおける下側の部分から前方に延びるように形成された一対の板バネ部２７，２７を有している。各板バネ部２７は、互いに近づきながら前方へ延びるように形成されている。一対の板バネ部２７，２７の先端部分は、相手側コネクタ５０のオス端子部である相手側オス端子部７３（相手側第１コンタクト部）が接触するコンタクト部２８として設けられている。各板バネ部２７におけるコンタクト部２８は、左右方向に弾性変形可能である。
【００４２】
各板バネ部２７のコンタクト部２８には、内側へ突出するディンプル部２９が形成されている。ディンプル部２９は、各板バネ部２７に２つ、形成されている。各ディンプル部２９は、互いに並行するように前後方向に延びている。ディンプル部２９は、コネクタ１が相手側コネクタ５０と嵌合した状態において、図５を参照して、相手側オス端子部７３に形成された凹部７５の底部７５ａと点接触する。これにより、双方のコネクタ１，５０の接触圧を高めることができる。
【００４３】
［オス端子カバー部の構成］
図３、図６、及び図１１を参照して、オス端子カバー部１０は、上側延出部５に設けられた、前後方向に延びる壁状の部分である。オス端子カバー部１０は、オス端子部２３における上端面、前端面、及び下端面を覆うように形成されている。オス端子カバー部１０は、スリット部１２が形成された第１壁部１１を有している。
【００４４】
第１壁部１１は、図３、図６、及び図１１を参照して、上側延出部５の左右方向における中央部分に設けられ、該上側延出部５の内側を前後方向に延びる壁状に形成されている。第１壁部１１は、上側延出部５の上壁部５ａと一体に形成されている。
【００４５】
スリット部１２は、図３及び図１１等を参照して、第１壁部１１における後側の端部から前方へ延びて、該第１壁部１１における前端部の手前側まで延びるように形成されている。スリット部１２には、オス端子部２３が嵌まり込んでいる。オス端子部２３は、第１壁部１１のスリット部１２に嵌まり込んだ状態において、該オス端子部２３における前側の端面が、第１壁部１１における前側の部分１３によって覆われている。当該部分１３は、オス端子部２３における前側の部分を前側から覆う第１カバー部１４として設けられている。
【００４６】
［メス端子カバー部の構成］
図１０を参照して、メス端子カバー部１５は、下側延出部６の内部に設けられた、前後方向に延びるように形成された部分である。メス端子カバー部１５は、メス端子部２６が有する各板バネ部２７を外側から覆うように構成されている。メス端子カバー部１５は、前後方向に延びる延出部１６と、該延出部１６の先端に設けられた先端壁部１７とを有し、これらが一体に形成されている。
【００４７】
延出部１６は、図９及び図１０を参照して、各板バネ部２７の外側を覆う外側延出部１６ａと、各板バネ部２７の上側を覆う上側延出部１６ｂと、各板バネ部２７の下側を覆う下側延出部１６ｃとを有し、これらが一体に形成されている。
【００４８】
先端壁部１７は、延出部１６の先端（前側の部分）を覆う矩形の板状の部分である。各先端壁部１７は、メス端子部２６の各板バネ部２７における前側の部分を覆っている。すなわち、先端壁部１７は、メス端子部２６における前側の部分を前側から覆う第２カバー部１８として設けられている。
【００４９】
上述のように、コネクタ１では、図３を参照して、オス端子部２３における前側の部分が、オス端子カバー部１０における前側の部分１３として設けられた第１カバー部１４によって覆われている。また、コネクタ１では、図９を参照して、メス端子部２６の各板バネ部２７における前側の部分が、メス端子カバー部１５の先端壁部１７として設けられた第２カバー部１８によって覆われている。すなわち、コネクタ１のコンタクト端子２０における前側の部分は、第１カバー部１４及び第２カバー部１８によって覆われて、外部に露出しない状態となっている。こうすると、作業者によるコネクタ１及び相手側コネクタ５０の嵌合作業が行われる際、作業者の指がハウジング２における前側から該ハウジング２の内部へ入っても、作業者の指がコンタクト端子２０に接触してしまうことが、第１カバー部１４及び第２カバー部１８によって防止される。すなわち、第１カバー部１４及び第２カバー部１８は、作業者の感電を防止するフィンガープロテクト部として機能する。
【００５０】
また、図７を参照して、メス端子部２６の各板バネ部２７におけるコンタクト部２８（相手側コネクタ５０のオス端子部と接触する部分）は、一対の第２カバー部１８の間に形成された隙間部１９を介して前方から視認することができる。これにより、相手側コネクタ５０の相手側オス端子部７３を、前記隙間部１９を介してコネクタ１側へ挿入する際、相手側オス端子部７３をメス端子部２６へ確実に接触させることができる。
【００５１】
［互いに嵌合した状態のコネクタ及び相手側コネクタの位置関係について］
コネクタ１が相手側コネクタ５０と嵌合した状態では、図１から図５（主に図５）を参照して、コネクタ１のコンタクト端子２０が、相手側ハウジング５２内に収容された相手側コンタクト端子７０と接触し、双方のコネクタ１，５０が互いに電気的に接続されている。具体的には、コネクタ１のオス端子部２３が、相手側メス端子部７６（相手側第２コンタクト部）が有する一対の相手側板バネ部７７に挟まれて保持されるとともに、コネクタ１のメス端子部２６が有する一対の板バネ部２７が、相手側オス端子部７３を挟んで保持している。これにより、コネクタ１のコンタクト端子２０と相手側コネクタ５０の相手側コンタクト端子７０とを複数箇所で接触させることができるため、双方のコンタクト端子２０，７０を確実に接触させることができる。
【００５２】
［効果］
以上のように、本実施形態に係るコネクタ１では、コネクタ１が相手側コネクタ５０と嵌合すると、該コネクタ１のオス端子部２３が相手側メス端子部７６と接触するとともに、該コネクタ１のメス端子部２６が相手側オス端子部７３と接触する。これにより、双方のコネクタ（コネクタ１及び相手側コネクタ５０）を電気的に接続することができる。
【００５３】
また、コネクタ１では、互いに嵌合する２つのコネクタ１，５０のコンタクト端子２０，７０が同じ形状となるように形成されている。これにより、該２つのコネクタ１，５０のそれぞれに用いられるコンタクト端子を共通化できるため、コスト面において有利なコネクタを提供できる。
【００５４】
更に、コネクタ１では、オス端子部２３とメス端子部２６とが一体に形成されている。また、コネクタ１では、メス端子部２６は、コネクタ１が相手側コネクタ５０と嵌合する前後で弾性変形する。すなわち、コネクタ１によると、従来のように、コンタクト部を押圧偏倚させるための他の部材（板バネ）を設けることなく接触圧を確保することができる。
【００５５】
従って、コネクタ１によると、雌雄同形のコンタクト端子を有するコネクタを、少ない部品点数で構成することができる。
【００５６】
また、コネクタ１では、オス端子部２３及びメス端子部２６は、互いに対する前後位置が揃うように配置されている。こうすると、例えばオス端子部及びメス端子部の前後位置がずれている場合と比べて、コネクタの長さ（前後方向の寸法）を短縮することができる。すなわち、この構成によれば、コネクタを小型化できる。
【００５７】
また、コネクタ１によれば、相手側オス端子部７３と接触するメス端子部２６の弾性を、板バネ状に形成された板バネ部２７によって容易に確保することができる。
【００５８】
また、コネクタ１では、コネクタ１が相手側コネクタ５０と嵌合した状態において、メス端子部２６が有する一対の板バネ部２７によって相手側オス端子部７３が挟んで保持される。これにより、コンタクト端子２０と相手側コンタクト端子７０との接触圧を高めることができる。
【００５９】
また、コネクタ１では、コンタクト端子２０における前側（挿入方向側）の部分が、第１カバー部１４及び第２カバー部１８によって覆われている。こうすると、例えば作業者がコネクタ１を相手側コネクタ５０に嵌合させる際などに当該作業者の指がコンタクト端子２０に触れて感電してしまうことを防止することができる。
【００６０】
また、コネクタ１によれば、コネクタ１を相手側コネクタ５０に嵌合させる際、相手側オス端子部７３は、一対の第２カバー部１８，１８の間に形成された隙間部１９を通じてコネクタ１内へ侵入する。そして、当該相手側オス端子部７３が、一対の板バネ部２７における相手側オス端子部７３と接触する部分を押し広げた状態で、コネクタ１と相手側コネクタ５０との嵌合が完了する。すなわち、コネクタ１によれば、メス端子部２６及び相手側オス端子部７３（並びに、オス端子部２３及び相手側メス端子部７６）を確実に接触させることができるとともに、作業者の感電を適切に防止することができるコネクタを提供できる。
【００６１】
以上、本発明の実施形態について説明したが、本発明はこれらに限定されるものではなく、本発明の趣旨を逸脱しない限りにおいて種々の変更が可能である。
【００６２】
［変形例］
（１）上述した実施形態では、ハウジング２及びコンタクト端子２０を有するコネクタ１を例に挙げて説明したが、これに限らない。具体的には、本発明は、上記実施形態においてハウジング２が省略された構成のコネクタ（すなわち、コンタクト端子２０のみを有するコネクタ）に適用することもできる。このような構成であっても、上記実施形態の場合と同様、雌雄同形のコンタクト端子を有するコネクタを、少ない部品点数で構成することができ、且つ、コネクタを小型化できる。
【００６３】
（２）図１４は、変形例に係るコネクタ１００のコンタクト端子１２０の形状を模式的に示す斜視図である。また、図１５は、図１４に示すコンタクト端子１２０が該コンタクト端子１２０と同じ形状を有する相手側コンタクト端子１７０と嵌合している状態を示す斜視図である。
【００６４】
上述した実施形態では、一対の板バネ部２７，２７によって相手側オス端子部７３を挟んで保持する構成を例に挙げて説明したが、これに限らない。具体的には、例えば図１４及び図１５に示すように、片持ち梁状に形成された１つの板バネ部１２７を有する第２コンタクト部１２６を有するコンタクト端子１２０を構成してもよい。
【００６５】
本変形例のコンタクト端子１２０は、上記実施形態に係るコンタクト端子２０と同様、板状の金属部材がプレス加工によって折り曲げられて形成された部品であって、前後方向に延びるように形成されている。コンタクト端子１２０は、皿状部１２１と、ケーブル圧着部１２２と、第１コンタクト部１２３と、第２コンタクト部１２６とを有し、これらが一体に形成されている。
【００６６】
皿状部１２１は、コンタクト端子１２０における前後方向中央部分に設けられた部分であって、下方へ窪む略皿状に形成されている。ケーブル圧着部１２２は、上記実施形態のケーブル圧着部２２と構成が同じであるため、その説明を省略する。
【００６７】
第１コンタクト部１２３は、コンタクト端子１２０における前側且つ左側に設けられた部分である。第１コンタクト部１２３は、皿状部１２１における左側の部分から前方に延びて、上下方向に厚みを有するタブ状に形成されている。
【００６８】
第２コンタクト部１２６は、コンタクト端子１２０における前側且つ右側に設けられた部分であって、その前後位置が第１コンタクト部１２３と揃うように配置されている。すなわち、第１コンタクト部１２３及び第２コンタクト部１２６は、互いに対する前後位置がずれていない。
【００６９】
第２コンタクト部１２６は、皿状部１２１における右側の部分から前方に延びるように形成された１つの板バネ部１２７を有している。板バネ部１２７の先端部分は、本変形例のコンタクト端子１２０と同じ形状を有する相手側コンタクト端子１７０の相手側第１コンタクト部１７３が接触するコンタクト部１２８として設けられている。このコンタクト部１２８は、上下方向に弾性変形可能である。また、各コンタクト部１２８には、上記実施形態の場合と同様の構成を有するディンプル部１２９が形成されている。
【００７０】
そして、図１５を参照して、本変形例のコンタクト端子１２０は、相手側コネクタ１５０が有する相手側コンタクト端子１７０と以下のようにして接触する。具体的には、コンタクト端子１２０の第１コンタクト部１２３が、第２コンタクト部１２６と同じ形状を有する相手側第２コンタクト部１７６と接触するとともに、第２コンタクト部１２６が、第１コンタクト部１２３と同じ形状を有する相手側第１コンタクト部１７３と接触する。これにより、コンタクト端子１２０と相手側コンタクト端子１７０とを複数箇所で接触させることができるため、双方のコンタクト端子１２０，１７０を確実に接触させることができる。
【００７１】
以上、本変形例に係るコネクタ１００も、上記実施形態に係るコネクタ１の場合と同様、コンタクト端子１２０における第１コンタクト部１２３及び第２コンタクト部１２６が一体に形成されており、第２コンタクト部１２６が、コネクタ１００が相手側コネクタ１５０と嵌合する前後で弾性変形する。よって、上記実施形態の場合と同様、雌雄同形のコンタクト端子を有するコネクタを、少ない部品点数で構成することができる。
【００７２】
また、コネクタ１００も、上記実施形態に係るコネクタ１の場合と同様、第１コンタクト部１２３及び第２コンタクト部１２６の互いに対する前後位置が揃うように配置されている。よって、上記実施形態の場合と同様、コネクタを小型化できる。
【００７３】
なお、図１４及び図１５では、本変形例に係るコネクタ１００が有するハウジングの図示を省略している。しかしながら、本変形例に係るコネクタ１００においても、フィンガープロテクト部として機能する第１カバー部及び第２カバー部を有するハウジングを形成することにより、感電防止の観点において優れたコネクタを提供できる。
【００７４】
（３）図１６は、変形例に係るコネクタ２００のコンタクト端子２２０の形状を模式的に示す斜視図である。また、図１７は、図１６に示すコンタクト端子２２０が該コンタクト端子２２０と同じ形状を有する相手側コンタクト端子２７０と嵌合している状態を示す側面図である。
【００７５】
上述した実施形態では、オス端子部２３及びメス端子部２６の配列方向（図１３における上下方向）と各端子部２３，２６の幅方向（図１３における上下方向）とが同じ方向である例を挙げて説明したが、これに限らない。具体的には、図１６及び図１７に示すように、オス端子部２２３及びメス端子部２２６の配列方向（図１６における上下方向）と各端子部２２３，２２６の幅方向（図１６における左右方向）とが直交する方向となるように、コンタクト端子２２０を構成してもよい。
【００７６】
本変形例のコンタクト端子２２０は、上記実施形態に係るコンタクト端子２０と同様、板状の金属部材がプレス加工によって折り曲げられて形成された部品であって、前後方向に延びるように形成されている。コンタクト端子２２０は、上板部２２１ａ、中板部２２１ｂ、及び下板部２２１ｃが、第１側板部２２１ｄ及び第２側板部２２１ｅによって互いに連結されたような形状を有する基部２２１と、ケーブル圧着部２２２と、オス端子部２２３と、メス端子部２２６とを有し、これらが一体に形成されている。
【００７７】
基部２２１は、コンタクト端子１２０における前後方向中央部分に設けられた部分である。上板部２２１ａは、基部２２１における上側に設けられた板状の部分であって、水平方向に拡がる矩形状に形成されている。中板部２２１ｂは、上板部２２１ａの下側に該上板部２２１ａと間隔を空けて設けられた板状の部分であって、水平方向に拡がる矩形状に形成されている。下板部２２１ｃは、中板部２２１ｂの下側に該中板部２２１ｂと間隔を空けて設けられた板状の部分であって、水平方向に拡がる矩形状に形成されている。上板部２２１ａ及び下板部２２１ｃは第１側板部２２１ｄによって、中板部２２１ｂ及び下板部２２１ｃは第２側板部２２１ｅによって、それぞれ連結されている。ケーブル圧着部２２２は、上記実施形態のケーブル圧着部２２と構成が同じであるため、その説明を省略する。
【００７８】
オス端子部２２３は、コンタクト端子２２０における前側且つ上側に設けられた部分である。オス端子部２２３は、上板部２２１ａにおける左右方向中央部分から前方に延びて、上下方向に厚みを有するタブ状に形成されている。
【００７９】
メス端子部２２６は、コンタクト端子２２０における前側且つ下側に設けられた部分であって、その前後位置がオス端子部２２３と揃うように配置されている。すなわち、オス端子部２２３及びメス端子部２２６は、互いに対する前後位置がずれていない。
【００８０】
メス端子部２２６は、一対の板バネ部２２７，２２７を有している。各板バネ部２２７，２２７は、上方から視た位置が、オス端子部２２３と重なる位置に設けられている。一方の板バネ部２２７は、中板部２２１ｂにおける前側の部分から前方へ延びるように形成されている。他方の板バネ部２２７は、下板部２２１ｃにおける前側の部分から前方へ延びるように形成されている。一対の板バネ部２２７，２２７の先端部分は、相手側コネクタ２５０のオス端子部である相手側オス端子部２７３（相手側第１コンタクト部）が接触するコンタクト部２２８として設けられている。各板バネ部２２７におけるコンタクト部２２８は、上下方向に弾性変形可能である。また、各コンタクト部２２８には、上記実施形態の場合と同様の構成を有するディンプル部２２９が形成されている。
【００８１】
そして、図１７を参照して、本変形例のコンタクト端子２２０は、相手側コネクタ２５０が有する相手側コンタクト端子２７０と以下のようにして接触する。具体的には、コネクタ２００のオス端子部２２３が、相手側メス端子部２７６（相手側第２コンタクト部）が有する一対の相手側板バネ部２７７に挟まれて保持されるとともに、コネクタ２００のメス端子部２２６が有する一対の板バネ部２２７が、相手側オス端子部２７３（相手側第１コンタクト部）を挟んで保持している。これにより、コネクタ２００のコンタクト端子２２０と相手側コネクタ２５０の相手側コンタクト端子２７０とを複数箇所で接触させることができるため、双方のコンタクト端子２２０，２７０を確実に接触させることができる。
【００８２】
以上、本変形例に係るコネクタ２００も、上記実施形態に係るコネクタ１の場合と同様、コンタクト端子２２０におけるオス端子部２２３及びメス端子部２２６が一体に形成されており、メス端子部２２６が、コネクタ２００が相手側コネクタ２５０と嵌合する前後で弾性変形する。よって、上記実施形態の場合と同様、雌雄同形のコンタクト端子を有するコネクタを、少ない部品点数で構成することができる。
【００８３】
また、コネクタ２００も、上記実施形態に係るコネクタ１の場合と同様、オス端子部２２３及びメス端子部２２６の互いに対する前後位置が揃うように配置されている。よって、上記実施形態の場合と同様、コネクタを小型化できる。
【００８４】
なお、図１６及び図１７では、本変形例に係るコネクタ２００が有するハウジングの図示を省略している。しかしながら、本変形例に係るコネクタ２００においても、フィンガープロテクト部として機能する第１カバー部及び第２カバー部を有するハウジングを形成することにより、感電防止の観点において優れたコネクタを提供できる。
【００８５】
（４）上述した実施形態では、板バネ部２７にディンプル部２９が２つ形成されている例を挙げて説明したが、これに限らず、ディンプル部２９の数は１又は３つ以上であってもよい。
【産業上の利用可能性】
【００８６】
本発明は、雌雄同形のコンタクトを有するコネクタとして広く適用することができる。
【符号の説明】
【００８７】
１，１００，２００            コネクタ
２０，１２０，２２０          コンタクト端子
２３，２２３                  オス端子部
２６，２２６                  メス端子部
１２３                        第１コンタクト部
１２６                        第２コンタクト部
５０，１５０，２５０          相手側コネクタ
７０，１７０，２７０          相手側コンタクト端子
７３，２７３                  相手側オス端子部（相手側第１コンタクト部）
７６，２７６                  相手側メス端子部（相手側第２コンタクト部）
１７３                        相手側第１コンタクト部
１７６                        相手側第２コンタクト部
【図１】
2017073214.tif 000003
【図２】
2017073214.tif 000004
【図３】
2017073214.tif 000005
【図４】
2017073214.tif 000006
【図５】
2017073214.tif 000007
【図６】
2017073214.tif 000008
【図７】
2017073214.tif 000009
【図８】
2017073214.tif 000010
【図９】
2017073214.tif 000011
【図１０】
2017073214.tif 000012
【図１１】
2017073214.tif 000013
【図１２】
2017073214.tif 000014
【図１３】
2017073214.tif 000015
【図１４】
2017073214.tif 000016
【図１５】
2017073214.tif 000017
【図１６】
2017073214.tif 000018
【図１７】
2017073214.tif 000019